(57)【要約】【課題】引戸交換などのメンテナンスを簡単に行うことのできる可動間仕切用ガイドレールを提供する。【解決手段】部屋を仕切るために天井Ｒに設置され、開閉操作可能な複数の引戸４が吊車３を介して可動に吊り下げられる可動間仕切用ガイドレール２であって、天井Ｒに取り付けられる平板状の天板部２１および天板部２１の長手方向に対して直交する幅方向の両端縁のそれぞれから下方に向かって直角に延出された相互に平行な平板状の１対の側板部２２を有する本体レール１１と、本体レール１１と同一断面形状に形成され本体レール１１の少なくとも一端に直列配置される本体レール１１より長さの短い端部レール１２と、本体レール１１と端部レール１２とを連結するための連結解除自在な連結手段１３とを設ける。【選択図】図６
2012097403.tif 000002
【特許請求の範囲】
【請求項１】
部屋を仕切るために天井に設置され、開閉操作可能な複数の引戸が吊車を介して可動に吊り下げられる可動間仕切用ガイドレールであって、
天井に着脱可能に取り付けられる平板状の天板部および前記天板部の長手方向に対して直交する幅方向の両端縁のそれぞれから下方に向かって直角に延出された相互に平行な平板状の１対の側板部を有する本体レールと、
天井に着脱可能に取り付けられ前記本体レールの少なくとも一端に直列配置される前記本体レールと同一断面形状に形成された前記本体レールより長さの短い端部レールと、
前記本体レールと前記端部レールとの連結とその解除とを行うための連結手段と、
を有していることを特徴とする可動間仕切用ガイドレール。
【請求項２】
前記連結手段は、
前記本体レールおよび前記端部レールの内部を移動可能とされ、移動方向に沿って形成された長孔を具備するスライド板と、
前記スライド板の移動空間を前記本体レールおよび前記端部レールのそれぞれの前記天板部の内面側に形成するために、前記本体レールおよび前記端部レールのそれぞれに設けられた前記１対の側板部の内面のそれぞれから内側に向かって直角に突設されるとともに、前記天板部と間隔をおいて平行に延在し、かつ間隔をおいて先端が対峙する平板状の１対のスライドガイド部と、
前記本体レールと前記端部レールとを連結するために前記長孔を介して前記本体レールの天板部に螺着される第１固定ねじ、および、前記長孔を介して前記端部レールの天板部に螺着される第２固定ねじと、
を有していることを特徴とする請求項１に記載の可動間仕切用ガイドレール。
【請求項３】
前記長孔の前記第１固定ねじおよび第２固定ねじが挿通可能な前記スライド板の移動方向に沿った有効長さ寸法は、前記本体レールの天板部に形成された前記第１固定ねじが螺着される第１ねじ孔と前記端部レールの天板部に形成された前記第２固定ねじが螺着される第２ねじ孔とのそれぞれの中心間距離と同等もしくは長く形成されていることを特徴とする請求項２に記載の可動間仕切用ガイドレール。
【請求項４】
前記本体レールおよび前記端部レールは、ともにアルミニウム合金の成型材により形成されており、前記スライド板は、アルミニウム合金の板材により形成されていることを特徴とする請求項２または３に記載の可動間仕切用ガイドレール。
【発明の詳細な説明】
【技術分野】
【０００１】
本発明は、部屋を仕切る可動間仕切に好適な可動間仕切用ガイドレールに関する。
【背景技術】
【０００２】
従来から、可動間仕切は、建物の中の大きな空間の部屋に設けておき、その部屋を会議や催し事の出席人数に合わせた大きさの空間に仕切ったり、住宅では、来客時に合わせて部屋を仕切ったり、部屋の一部を子供用や納戸などの他の目的のものに仕切ったりする場合に使用されている。
【０００３】
このような可動間仕切は、予め仕切るべき位置を想定して、その想定位置で天井に引戸の移動領域に亘って可動間仕切用ガイドレール（以下、単にガイドレールと記す。）を設置し、このガイドレールからつり下げられる複数の引戸を部屋の一箇所に集合あるいは収納させておき、必要に応じてガイドレールに沿って引き出して部屋を仕切る構成とされている。
【０００４】
このような従来の可動間仕切としては、部屋の天井にガイドレール（上レール）としての第１レールおよび第２レールとを直角に配置し、部屋を仕切った間仕切状態において両レールのそれぞれに複数の引戸を直列的に配置させる構成がある（例えば、特許文献１参照）。
【０００５】
また、従来の可動間仕切としては、部屋の天井にガイドレールとしての隣接して並設された相互に平行な複数の縦レールと、隣接して並設された相互に平行な複数の横レールとをそれぞれ直角に配置し、各縦レールおよび各横レールそれぞれに１枚の引戸を配置させる構成もある（例えば、特許文献２参照）。
【０００６】
ところで、従来の可動間仕切においては、何らかの理由により引戸や吊車などが破損した場合、破損した引戸や吊車を新たな引戸や吊車などに交換するメンテナンスが行われている。
【先行技術文献】
【特許文献】
【０００７】
【特許文献１】実開平６−６７３２１号公報
【特許文献２】特開平１０−２３１６５４号公報
【発明の概要】
【発明が解決しようとする課題】
【０００８】
しかしながら、従来の可動間仕切において、引戸や吊車などを交換する場合、引戸をガイドレールから着脱するためには、天井に設置されているガイドレールを天井から取り外し、その後再び取り付ける必要があるが、ガイドレールは長尺で相当の重量を有しており、ガイドレールの着脱に手間がかかるという問題点があった。
【０００９】
そこで、引戸や吊車などの交換などのメンテナンスを簡単に行うことのできる可動間仕切用ガイドレールが求められている。
【００１０】
本発明はこのような点に鑑みてなされたものであり、引戸の交換などのメンテナンスを簡単に行うことのできる可動間仕切用ガイドレールを提供することを目的とする。
【課題を解決するための手段】
【００１１】
本発明は、前記目的を達成するため、部屋を仕切るために天井に設置され、開閉操作可能な複数の引戸が吊車を介して可動に吊り下げられる可動間仕切用ガイドレールであって、天井に着脱可能に取り付けられる平板状の天板部および前記天板部の長手方向に対して直交する幅方向の両端縁のそれぞれから下方に向かって直角に延出された相互に平行な平板状の１対の側板部を有する本体レールと、天井に着脱可能に取り付けられ前記本体レールの少なくとも一端に直列配置される前記本体レールと同一断面形状に形成された前記本体レールより長さの短い端部レールと、前記本体レールと前記端部レールとの連結とその解除とを行うための連結手段とを有していることを特徴とする可動間仕切りのガイドレールを提供する。
【００１２】
本発明において、前記連結手段は、前記本体レールおよび前記端部レールの内部を移動可能とされ、移動方向に沿って形成された長孔を具備するスライド板と、前記スライド板の移動空間を前記本体レールおよび前記端部レールのそれぞれの前記天板部の内面側に形成するために、前記本体レールおよび前記端部レールのそれぞれに設けられた前記１対の側板部の内面のそれぞれから内側に向かって直角に突設されるとともに、前記天板部と間隔をおいて平行に延在し、かつ間隔をおいて先端が対峙する平板状の１対のスライドガイド部と、前記本体レールと前記端部レールとを連結するために前記長孔を介して前記本体レールの天板部に螺着される第１固定ねじおよび前記長孔を介して前記端部レールの天板部に螺着される第２固定ねじとを有している構成とすることができる。これにより、第１固定ねじを長孔を介して本体レールの天板部に螺着するとともに、第２固定ねじを長孔を介して端部レールの天板部に螺着するという簡単な操作により、本体レールと端部レールとを連結することができる。また、本体レールの天板部に螺着された第１固定ねじあるいは端部レールの天板部に螺着された第２固定ねじの少なくとも一方を取り外すという簡単な操作により、本体レールと端部レールとの連結を解除することができる。したがって、本体レールと端部レールとの連結とその解除とを容易に行うことができる。また、連結手段をガイドレールの内側に配置することができるので、部屋の仕切りを行わない開放状態における外観上の違和感を少なくすることができる。
【００１３】
本発明において、前記長孔の前記第１固定ねじおよび第２固定ねじが挿通可能な前記スライド板の移動方向に沿った有効長さ寸法は、前記本体レールの天板部に形成された前記第１固定ねじが螺着される第１ねじ孔と前記端部レールの天板部に形成された前記第２固定ねじが螺着される第２ねじ孔とのそれぞれの中心間距離と同等もしくは長く形成されている構成とすることができる。これにより、第１固定ねじあるいは第２固定ねじを取り外した状態で、天板部に残存する第２固定ねじあるいは第１固定ねじを緩めることにより、スライド板を端部レールの移動空間の内部あるいは本体レールの移動空間の内部にスライド移動させることができる。すなわち、スライド板を本体レールあるいは端部レールに保持させた状態で本体レールの移動空間あるいは端部レールの移動空間に出没させることができる。その結果、端部レールを天井に対して着脱する際に、スライド板を本体レールの移動空間あるいは端部レールの移動空間に収納した状態とすることができるので、スライド板が着脱の邪魔にならず、天井に設置された端部レールを容易に着脱することができる。
【００１４】
本発明において、前記本体レールおよび前記端部レールは、ともにアルミニウム合金の成型材により形成されており、前記スライド板は、アルミニウム合金の板材により形成されている構成とすることができる。これにより、ステンレスなどの鉄鋼材料を用いる場合に比較して軽量化を容易に図ることができる。また、本体レールおよび端部レールの両者を１つの成型金型で形成することができるので、金型コストを低減することができる。すなわち、１つの成型金型により長尺のレールを形成し、この長尺のレールから本体レール１１および端部レール１２を得ることができる。
【発明の効果】
【００１５】
本発明の可動間仕切用ガイドレールによれば、連結手段による本体レールと端部レールとの連結を解除するという簡単な方法で、端部レールを天井から容易に取り外すことができるので、引戸の交換などのメンテナンスを簡単に行うことができるなどの優れた効果を奏する。
【図面の簡単な説明】
【００１６】
【図１】本発明に係る可動間仕切用ガイドレールを用いた可動間仕切の実施形態の間仕切状態における全体構成の要部を示す模式図
【図２】図１の可動間仕切の開放状態を示す模式的平面図
【図３】図２の太矢印Ａ方向から見て示す模式的側面図
【図４】図２の太矢印Ｂ方向から見て示す模式的側面図
【図５】図１の可動間仕切用ガイドレールに対する引戸の吊り下げ状態を示す拡大断面図
【図６】図１の可動間仕切用ガイドレールの本体レールと端部レールとの連結状態を示す模式的平面図
【図７】図１の可動間仕切用ガイドレールの本体レールと端部レールとの連結状態を示す模式的断面図
【図８】図６のスライド板の平面図
【図９】図６に示す可動間仕切用ガイドレールの天井に設置された端部レールの取り外し手順の一例における第１固定ねじを取り外して第１レールとスライド板との連結状態を解除した状態を示す模式的平面図
【図１０】図６に示す可動間仕切用ガイドレールの天井に設置された端部レールの取り外し手順の一例における図９に続くスライド板を端部レールの移動空間に収容した状態を示す図９と同様の図
【図１１】図６に示す可動間仕切用ガイドレールの天井に設置された端部レールの取り外し手順の一例における図１０に続く天井から取り外した端部レールを示す図９と同様の図
【発明を実施するための形態】
【００１７】
以下、本発明を図面に示す実施形態により説明する。
【００１８】
図１から図８は本発明に係る可動間仕切用ガイドレールを用いた可動間仕切の実施形態を示すものであり、図１は間仕切状態における全体構成の要部を示す模式図、図２は図１の可動間仕切の開放状態を示す模式的平面図、図３は図２の太矢印Ａ方向から見て示す模式的側面図、図４は図２の太矢印Ｂ方向から見て示す模式的側面図、図５は可動間仕切用ガイドレールに対する引戸の吊り下げ状態を示す拡大断面図、図６は図１の可動間仕切用ガイドレールの本体レールと端部レールとの連結状態を示す模式的平面図、図７は図６のＣ−Ｃ断面図、図８は図６のスライド板の平面図である。なお、作図の便宜上、取り外した端部レールを２点鎖線にて図２左上、図４上方に作図してある。
【００１９】
本実施形態の可動間仕切は、部屋の仕切りを行わない開放状態において複数の引戸を戸袋に収納するものを例示している。
【００２０】
図１から図４に示すように、本実施形態の可動間仕切１は、部屋を仕切るために天井Ｒに着脱可能に設置される可動間仕切用ガイドレール２（以下、単にガイドレールと記す。）と、このガイドレール２に吊車３を介して可動に吊り下げられた開閉操作可能な複数、本実施形態においては５枚の引戸４と、部屋の仕切りを行わない開放状態において５枚の引戸４を収納する戸袋５と有している。
【００２１】
本実施形態のガイドレール２は、アルミニウム合金の成型材により形成されており、本体レール１１と、この本体レール１１の図２の上方に示す一端としての自由端に直列配置された端部レール１２とを有している。この本体レール１１と端部レール１２とは、後述する連結手段１３により連結されて一体にされている。また、本体レール１１の図２の下方右端に示す他端には、引戸４を戸袋５に収納するために用いられる収納レール１４が配置されている。
【００２２】
本実施形態の本体レール１１は、図２の上下方向に延在する直線状に形成された第１レール１６と、図２の左右方向に延在する直線状に形成された第２レール１７とを有している。そして、第１レール１６と第２レール１７とは、直角に接続されており、全体として平面Ｌ字形の１本レールとされている。
【００２３】
なお、本体レール１１としては、部屋の相互に対向する壁面間を直線的に間仕切りする構成の可動間仕切の場合には、直線状の１本レールとされたものが用いられる。
【００２４】
前記端部レール１２は、ガイドレール２のうちの戸袋５からもっとも離れた端部、すなわち、第１レール１６の自由端部分に配置されている。この端部レール１２は、本体レール１１と同一断面形状に形成されている。ここで、「本体レール１１と同一断面形状」とは、端部レール１２の長さ方向に対して直交する幅方向の断面形状が、本体レール１１の長さ方向に対して直交する幅方向の断面形状と同一ということである（図５参照）。また、端部レール１２は、図２の上下方向に示す長さ寸法ＲＬが、例えば１５０−２５０ｍｍ程度、本実施形態においては２００ｍｍとされている。すなわち、端部レール１２は、本体レール１１より長さ寸法が短く形成されている。また、端部レール１２は、連結手段１３による本体レール１１との連結状態を解除することにより、図２および図４の２点鎖線にて示すように、天井Ｒに設置された本体レール１１とは個別に天井Ｒから取り外すことことができるように形成されている。そして、天井Ｒから端部レール１２を取り外すことにより、ガイドレール２から吊車３とともにすべての引戸４を壁面ＰＡ側から順に取り外すことができるように形成されている。
【００２５】
前記収納レール１４は、５枚の引戸４を戸袋５に収納するためのものであり、第２レール１７１１の図２の右方に示す自由端部である他端から直線状に延出するように、戸袋５の開口に沿って配置された直線状の引込レール１４ａと、この引込レール１４ａから戸袋５の内部に向かって直角に分岐された直線状の１対の分岐レール１４ｂとを有している。なお、収納レール１４のかわりに、５枚の引戸４を重ねて壁面に集積させるための集合レールを用いてもよい。
【００２６】
なお、前述したように、本体レール１１を構成する第１レール１６および第２レール１７、端部レール１２、収納レール１４を構成する引込レール１４ａおよび１対の分岐レール１４ｂは、それぞれの長手方向に対して直交する幅方向の断面形状がすべて同一に形成されている。
【００２７】
図５に示すように、本実施形態のガイドレール２（符号２は、本体レール１１、端部レール１２および収納レール１４を総称する。）は、ガイドレール２の下端面が天井Ｒからごく僅かに突出するように、天井Ｒに凹設されたレール溝ＲＡに取り付けて設置されている。これにより、部屋の仕切りを行わない開放状態における外観上の違和感を少なくできる。
【００２８】
図５に示すように、ガイドレール２は、厚さ方向を上下方向に向けて天井Ｒ側に配置される平板状の天板部２１と、この天板部２１の長手方向に対して直交する幅方向の両端縁のそれぞれから下方に向かって直角に延出された相互に平行な平板状の１対の側板部２２と、これら１対の側板部２２の下端縁のそれぞれから内側に向かって直角に延出されるとともに後述する吊車３の一部を構成する支持軸３６が挿通される間隔をおいて先端が対峙する平板状の１対のリブ部２３とを有している。なお、各部の厚さ寸法は、例えば、２．５ｍｍとされている。
【００２９】
前記ガイドレール２の天板部２１の図５の下方に示す内面側には、後述するスライド板２６が移動自在な図５の破線領域にて示す移動空間２０を形成するための平板状の１対のスライドガイド部２５が形成されている。これら１対のスライドガイド部２５は、１対の側板部２２の内面のそれぞれから内側に向かって直角に突設されるとともに、天板部２１と間隔をおいて平行に延在し、かつ間隔をおいて先端が対峙するように形成されている。すなわち、移動空間２０は、図５の破線領域にて示すように、天板部２１の内面と１対の側板部２２の内面と、１対のスライドガイド部２５のそれぞれの天板部２１側の表面を含む仮想平面とにより囲まれた空間とされている。この移動空間２０の図５における上下方向の寸法は、スライド板２６の厚さ寸法より若干、例えば０．１ｍｍ程度小さく形成されている。勿論、移動空間２０におけるスライド板２６の移動方向となる１対の側板部２２の間隔は、スライド板２６の移動方向に対して直交する幅方向の寸法より若干、例えば０．１ｍｍ程度小さく形成されている。すなわち、移動空間２０の長手方向に対して直交する幅方向の断面の大きさは、スライド板２６の幅方向の断面の大きさより、若干大きく形成されている。また、スライドガイド部２５の厚さ寸法は、例えば、１．８ｍｍとされている。さらに、１対のスライドガイド部２５のそれぞれの先端の間隔は、１対のリブ部２３の先端が対峙する支持軸３６が挿通される間隔より大きく形成されている。これにより、部屋の仕切りを行わない開放状態においてガイドレール２を見上げたときに、１対のスライドガイド部２５が見えないようにされている。
【００３０】
図６に示すように、本実施形態のガイドレール２は、第１レール１６の自由端、ひいては本体レール１１の自由端の端面と端部レール１２の右端の端面とが対向するように当接されている。また、第１レール１６に形成された移動空間２０の自由端側には、スライド板２６の一端である図６の左端部が配置されており、端部レール１２に形成された移動空間２０の端部には、スライド板２６の他端である図６における左端部が配置されている。
【００３１】
図８に示すように、本実施形態のスライド板２６は、ガイドレール２の移動空間２０に配置された状態でスライド板２６の移動方向に沿った図８における左右方向が長い平面横長矩形の平板状に形成されている。また、スライド板２６には、その移動方向に沿って長孔２７が形成されている。この長孔２７は、スライド板２６の移動方向に対して直交する図８の上下方向に示す幅方向の中央部に形成されている。また、長孔２７は、その右端部が図８の右端側に側に寄せて配置されている。そして、図６および図７に示すように、長孔２７の右端側に下方から挿通される小ねじなどからなる第１固定ねじ２８を本体レール１１の天板部２１に形成された第１ねじ孔２９に螺着することにより、スライド板２６が第１レール１６に固定されている。また、図６および図７に示すように、長孔２７の左端側に下方から挿通される小ねじなどからなる第２固定ねじ３０を端部レール１２の天板部２１に形成された第２ねじ孔３１に螺着することにより、スライド板２６が端部レール１２に固定されている。これにより、第１レール１６と端部レール１２、すなわち、本体レール１１と端部レール１２とが連結されている。また、ガイドレール２には、ガイドレール２を天井Ｒに設置する際に用いられる複数の取付孔３３が予め設定された位置に形成されている。なお、取付孔３３は、本体レール１１、端部レールおよび収納レール１４のそれぞれにおいて複数設けられている。
【００３２】
図８に示すように、スライド板２６に形成された長孔２７の第１固定ねじ２８および第２固定ねじ３０が挿通可能な移動方向に沿った有効長さ寸法をＬａとし、長孔２７の有効長さの右端からスライド板２６の右端までの長さ寸法をＬｂとし、長孔２７の有効長さの左端からスライド板２６の左端までの長さ寸法をＬｃとし、スライド板２６の移動方向に沿った全体の長さ寸法をＬ（Ｌ＝Ｌａ＋Ｌｂ＋Ｌｃ）とし、図６に示す第１レール１６の左端から第１ねじ孔２９の中心までの長さ寸法をＬｘとし、端部レール１２の右端から第２ねじ孔３１の中心までの長さ寸法をＬｙとし、第１ねじ孔２９の中心と第２ねじ孔３１の中心との中心間距離をＬＧ（ＬＧ＝Ｌｘ＋Ｌｙ）としたときに、有効長さ寸法Ｌａが中心間距離ＬＧと同等もしくは長く（Ｌａ≧ＬＧ）形成されている。本実施形態においては、長さ寸法Ｌｘが長さ寸法Ｌｙと同一（Ｌｘ＝Ｌｙ）とされているとともに、有効長さ寸法Ｌａが中心間距離ＬＧより長く（Ｌａ＞ＬＧ）されている。
【００３３】
すなわち、長孔２７の第１固定ねじ２８および第２固定ねじ３０が挿通可能なスライド板２６の移動方向に沿った有効長さ寸法Ｌａは、本体レール１１の天板部２１に形成された第１固定ねじ２８が螺着される第１ねじ孔２９と、端部レール１２の天板部２１に形成された第２固定ねじ３０が螺着される第２ねじ孔３１とのそれぞれの中心間距離ＬＧと同等もしくは長く形成することが肝要である。
本実施形態においては、後述するように、端部レール１２を着脱する際に、端部レール１２の移動空間２０にスライド板２６を収容することができるように、有効長さ寸法Ｌａが３０ｍｍ、長さ寸法Ｌｂが１３ｍｍ、長さ寸法Ｌｃが２７ｍｍ（Ｌ＝７０ｍｍ）、長さ寸法Ｌｘが１５ｍｍ、長さ寸法Ｌｙが１５ｍｍ、中心間距離が３０ｍｍとされている。
【００３４】
前記第１固定ねじ２８の長さ寸法としては、第１ねじ孔２９が形成された天板部２１の厚さ寸法にスライド板２６の厚さ寸法を加算した値より短くすることが、第１固定ねじ２８の先端が天板部２１から外側に突出するのを防止することができるという意味で好ましい。
【００３５】
前記第２固定ねじ３０の長さ寸法としては、第１固定ねじ２８と同様に、第２ねじ孔３１が形成された天板部２１の厚さ寸法にスライド板２６の厚さ寸法を加算した値より短くすることが、第２固定ねじ３０の先端が天板部２１から外側に突出するのを防止することができるという意味で好ましい。
【００３６】
前記本体レール１１および端部レール１２の内部を移動可能とされ移動方向に沿って形成された長孔２７を具備するスライド板２６と、スライド板２６の移動空間２０を天板部２１の内面側に形成するために本体レール１１および端部レール１２のそれぞれに設けられ、１対の側板部２２の内面のそれぞれから内側に向かって直角に突設されるとともに、天板部２１と間隔をおいて平行に延在し、かつ間隔をおいて先端が対峙する平板状の１対のスライドガイド部２５と、本体レール１１と端部レール１２とを連結するために長孔２７を介して本体レール１１の天板部２１に螺着される第１固定ねじ２８および長孔２７を介して端部レール１２の天板部２１に螺着される第２固定ねじ３０とにより、本実施形態の本体レール１１と端部レール１２との連結とその解除とを行うための連結手段１３が構成されている。
【００３７】
また、本実施形態の連結手段１３は、本体レール１１と端部レール１２との連結を本体レール１１および端部レール１２の内側で行うように構成されている。
【００３８】
なお、本体レール１１、端部レール１２および収納レール１４は、それぞれアルミニウム合金の成型材により形成されており、スライド板２６は、アルミニウム合金の板材により形成されている。また、本体レール１１、端部レール１２および収納レール１４は、１つの成型金型により長尺の成型材を形成し、この長尺の成型材を可動間仕切１の設置現場の実際の仕様に応じて加工することにより製造されている。
【００３９】
図１、図３および図４に示すように、引戸４は、部屋を仕切った間仕切状態において戸袋５から最も離間した端部レール１２の配置側から戸袋５に向かって順に配置されている第１引戸４ａ、第２引戸４ｂ、第３引戸４ｃ、第４引戸４ｄおよび第５引戸４ｅの総計５枚の引戸４（符号２は、第１引戸４ａ、第２引戸４ｂ、第３引戸４ｃ、第４引戸４ｄおよび第５引戸４ｅを総称する。）を有している。そして、引戸４は、部屋を仕切った間仕切状態において、第１レール１６には第１引戸４ａ、第２引戸４ｂおよび第３引戸４ｃの総計３枚の引戸４が配置されており、第２レール１７には第４引戸４ｄおよび第５引戸４ｅの総計２枚の引戸４が配列されている。また、これら総計５枚の引戸４は、ガイドレール２に沿って配置されている。なお、図１における符号ＰＡは壁面である。
【００４０】
図５に示すように、吊車３は、引戸４の後述する上フレーム４２ａに取り付けられる取付部３５と、この取付部３５の上面にその軸方向を上下方向に向けて立設された支持軸３６と、この支持軸３６の先端部に回転自在に取り付けられた移動ブロック体４４と、この移動ブロック体４４の下面からほぼ下半分が下方に露出するように回転自在に支持された４つのボール体４５（図９には３つのボール体４５のみ図示）とを有している。そして、移動ブロック体４４および４つのボール体４５は、ガイドレール２の移動空間２０の下方に設けられた内部空間４６に配置されている。なお、吊車３としては、従来公知の各種のものを用いることができる。但し、後述するように、ガイドレール２の内部空間４６とこの内部空間４６に配置される吊車との間に引戸４を外す際に必要な隙間があることが肝要である。なお、吊車３は、吊車３の各ボール体４５の下端を含む仮想平面と、引戸４の上端面と間の相互間の間隔を、例えば４−１１ｍｍ程度調整することができるように形成するとよい。
【００４１】
図３および図４に示すように、本実施形態においては、１つの引戸４に対して２つの吊車３が取り付けられており、これら２つの吊車３は、引戸４の上面の引戸４の移動方向に沿った幅方向の両側に寄せて配置されている。なお、１つの引戸４配設された２つの吊車３のうち少なくとも左側である壁面ＰＡ側に位置する吊車３は、その中心からこの吊車３に隣位する引戸４の幅方向の端面までの距離をａとしたときに、距離ａは、端面レール１２の長さ寸法ＲＬより小さく（ａ＜ＲＬ）形成されていることが、端部レール１２を天井Ｒから取り外した後の空間から吊車３、ひいては引戸４を容易に取り外すことができるという意味で肝要である。
【００４２】
したがって、端面レール１２の長さ寸法ＲＬおよび距離をａは、部屋を仕切った間仕切状態にする際の引戸４の移動方向の先頭側に位置する吊車３が端部レール１２を天井Ｒから取り外した後の空間に存在させるように設定すればよい。
【００４３】
なお、吊車３の数は、設計コンセプトなどの必要に応じて任意の整数から選択することができる。
【００４４】
図３および図４に示すように、本実施形態の引戸４は、縦長平板状のパネル本体４１と、このパネル本体４１の四辺を囲うように取り付けられるアルミニウム合金の成型材により形成されたパネルフレーム４２とを有している。また、パネルフレーム４２は、パネル本体４１の上面に取り付けられる上フレーム４２ａと、パネル本体４１の下面に取り付けられる下フレーム４２ｂと、パネル本体４１の左右の側面に取り付けられる横断面形状が左右対称に形成された左右１対の縦フレーム４２ｃとを有している。なお、本実施形態の縦フレーム４２ｃは、上フレーム４２ａおよび下フレーム４２ｂのそれぞれの右端を接続するように、パネル本体４１の側面に取り付けられている。なお、縦フレーム４２ｃの下端部には、必要に応じて従来公知のフランス落としを設けることができる。また、引戸４としては、従来公知の各種のものを用いることができる。
【００４５】
なお、端部レール１２は、本体レール１１と収納レール１４との間、すなわち本体レール１１の他端に配置してもよいし、本体レールの両端に配置してもよい。この場合、本体レール１１と端部レール１２とを連結する連結手段１３に加えて、端部レール１２と収納レール１４とを連結するために、本体レール１１と端部レール１２とを連結する連結手段１３と同様の連結手段を設けるとよい。
【００４６】
その他の構成は、従来公知の可動間仕切と同様に構成されているので、その詳しい説明は省略する。
【００４７】
つぎに、前述した構成からなる本実施形態の作用について説明する。
【００４８】
図９から図１１は図６に示す可動間仕切用ガイドレールの天井に設置された端部レールの取り外し手順の一例を示すものであり、図９は第１固定ねじを取り外して第１レールとスライド板との連結状態を解除した状態を示す模式的平面図、図１０は図９に続くスライド板を端部レールの移動空間に収容した状態を示す模式的平面図、図１１は図１０に続く天井から取り外した端部レールを示す模式的平面図である。
【００４９】
本実施形態の可動間仕切１において、天井Ｒに設置された端部レール１２の取り外しを行う場合には、可動間仕切１が部屋の仕切りを行わない開放状態であれば、そのまま端部レール１２の取り外しを開始する。また、可動間仕切１が部屋を仕切った間仕切状態であれば、第５引戸４が端部レール１２の取り外しの邪魔にならないように、第５引戸４の位置を戸袋５側に移動、例えば図４に示す第５引戸４の左端が、少なくとも図６に示す第１固定ねじ２８より戸袋５側に位置させるように、各引戸４を移動して取り外しの準備を行う。この場合、可動間仕切１を間仕切状態から開放状態としてもよい。
【００５０】
ついで、端部レール１２の取り外しを実施する。この端部レール１２の天井Ｒからの取り外しは、連結手段１３による本体レール１１と端部レール１２との連結状態を解除して端部レール１２を天井Ｒから取り外す。
【００５１】
例えば、第１固定ねじ２８を緩める方向に回転操作して第１固定ねじ２８を第１レール１６の天板部２１およびスライド板２６の長孔２７から離脱することにより、連結手段１３による第１レール１６とスライド板２６との連結状態を解除する。この第１固定ねじ２８を取り外した状態を図９に示す。
【００５２】
ついで、第２固定ねじ３０を緩める方向に回転操作してスライド板２６が移動可能な状態、すなわち第２固定ねじ３０が端部レール１２の第２ねじ孔３１から離脱しないように緩めた状態とする。これによりスライド板２６は、端部レール１２から離脱せずに端部レール１２に保持（係止）されることになる。
【００５３】
ついで、スライド板２６が第１レール１６の移動空間２０から外側に離れるように、すなわち端部レール１２の移動空間２０の内部に収納するように、図９の左向き太矢印に示す方向、すなわち端部レール１２の自由端側に向かって移動操作する。このスライド板２６の移動操作は、長孔２７の右端部が、第２固定ねじ３０に当接するまで行う。これにより、スライド板２６は端部レール１２の移動空間２０に収容されることになる。このスライド板２６を端部レール１２の移動空間２０に収容した状態を図１０に示す。
【００５４】
なお、スライド板２６を端部レール１２の移動空間２０に収容した後に、第２固定ねじ３０を締める方向に回転させてスライド板２６を端部レール１２に固定することが、以後の操作中にスライド板２６が動かないので、操作の邪魔にならないという意味で好ましい。
【００５５】
ついで、端部レール１２を天井Ｒに取り付けている図示しない取付ねじを取り外し、スライド板２６および第２固定ねじ３０を保持した状態の端部レール１２を天井Ｒから離間させることにより、端部レール１２の取り外しを終了する。このとき、スライド板２６が端部レール１２の移動空間２０に収容されているので、端部レール１２を真っ直ぐ下方に向けて天井Ｒから離間させることができる。これにより、端部レール１２の自由端側の設置スペースが狭い場合であっても端部レール１２を天井Ｒから容易に取り外すことができる。この天井Ｒから取り外した端部レール１２を図１１に示す。
【００５６】
そして、天井Ｒから端部レール１２を取り外すことにより、引戸４を壁面ＰＡ側に移動させると、壁面ＰＡ側の吊車３がレール溝ＲＡの端部レール１２が設置されていた空間に移動して、天井Ｒに設置されている本体レール１１の端部から外れるので、この状態で引戸４を上下方向に対して傾けたり、他方の吊車３を中心として回転させたりする操作をすることにより、引戸４の壁面ＰＡの吊車３をレール溝ＲＡから取り外すことができる。これは、内部空間４６と吊車３の移動ブロック体４４およびボール体４５との間に隙間があるからである。つづいて他方の吊車３を壁面ＰＡ側に移動させながら他方の吊車３を支点としてレール溝ＲＡから取り外した吊車３がレール溝ＲＡから離れるように引戸４を操作をすることにより、他方の吊車３を本体レール１１の端部から取り外す。ついで、この状態で引戸４を上下方向に対して傾けたり、他方の吊車３を中心として回転させたりする操作をすることにより、引戸４の他方の吊車３をレール溝ＲＡから取り外すことにより、引戸４を本体レール１１、ひいてはガイドレール２から取り外すことができる。したがって、天井Ｒに設置されている長さの短い端部レール１２を取り外すことで、引戸４を取り外すことができる。なお、引戸４の取り外しは、第５引戸４ｅ、第４引戸４ｄ、第３引戸４ｃ、第２引戸４ｂ、第１引戸４ａをこの順に壁面ＰＡ側に移動させて行うことになる。
【００５７】
なお、天井Ｒから端部レール１２を取り外す場合、第２固定ねじ３０を端部レール１２およびスライド板２６の長孔２７から離脱させて、連結手段１３による第１レール１６とスライド板２６との連結状態を解除するようにしてもよい。この場合、スライド板２６を第１レール１６の移動空間２０の内部に収納するように移動操作することになる。この場合、スライド板２６の長さ寸法Ｌｂを長さ寸法Ｌｘより短くし、スライド板２６の長さ寸法Ｌｃを長さ寸法Ｌｙより短くすることが肝要である。
【００５８】
つぎに、端部レール１２を天井Ｒに取り付けるには、端部レール１２を天井Ｒから取り外す手順とほぼ逆の手順を行うことになる。すなわち、端部レール１２を天井Ｒに取り付ける操作は、引戸４を本体レール１１に取り付けた後に、まず、連結手段１３により本体レール１１と端部レール１２とを連結状態として端部レール１２を天井Ｒに取り付ける。
【００５９】
例えば、第１レール１６の端面とスライド板２６が保持されている端部レール１２の端面とが対向するように当接させ、この状態で第２固定ねじ３０を緩めたうえでスライド板２６を第１レール１６の移動空間２０に収納するように移動操作する。このスライド板２６の移動操作は、端部レール１２の自由端側に設けられた長孔２７の端部が第２固定ねじ３０に当接するまで行う。これにより、スライド板２６は、長孔２７の一端である右端を含む右端側が第１レール１６の移動空間２０に配置され、長孔２７の他端である左端を含む左端側が端部レール１２の移動空間２０に配置されることになる。なお、第１レール１６の端面と端部レール１２の端面とが対向するように当接させてスライド板２６の第１レール１６側を第１レール１６の移動空間２０に収納するように移動操作することにより、端部レール１２が第１レール１６の端面の延長線上に位置するように容易に位置決めすることができる。また、第１レール１６の端面と端部レール１２の端面とが対向するように当接させることにより、第１レール１６と端部レール１２との接続部を吊車３が円滑に通過できる。
【００６０】
ついで、取り外されている第１固定ねじ２８を長孔２７の右端側を介して第１レール１６の天板部２１に設けられている第１ねじ孔２９にねじ込む操作を行うことにより、スライド板２６を第１レール１６に螺着してスライド板２６を第１レール１６、ひいては本体レール１１に連結する。
【００６１】
ついで、端部レール１２の天板部２１に設けられている第２ねじ孔３１に緩んだ状態で保持されている第２固定ねじ３０をねじ込む操作を行うことにより、スライド板２６を端部レール１２に螺着してスライド板２６を端部レール１２に連結する。これにより、第１レール１６ひいては本体レール１１と端部レール１２とがスライド板２６を介して一体に連結する。
【００６２】
ついで、端部レール１２の取付孔３３を介して図示しない取付ねじを天井Ｒに螺着させることにより端部レール１２の取り付けを終了する。
【００６３】
なお、第２固定ねじ３０を端部レール１２およびスライド板２６の長孔２７から離脱させて、連結手段１３による第１レール１６とスライド板２６との連結状態を解除した場合には、スライド板２６の端部レール１２側を端部レール１２の移動空間２０に収納するように移動操作した後、取り外した第２固定ねじ３０を長孔２７の左端側を介して端部レール１２の天板部２１に設けられている第２ねじ孔３１にねじ込む操作を行うことになる。
【００６４】
前記端部レール１２を天井Ｒから取り外す手順、および取り外した端部レール１２を天井Ｒに取り付ける手順のそれぞれは一例であり、必要に応じて種々の変更が可能である。例えば、取り外した端部レール１２を天井Ｒに取り付ける場合、端部レール１２を図示しない天井Ｒに仮止めしてから、連結手段１３による本体レール１１と端部レール１２との連結を行う手順を挙げることができる。
【００６５】
なお、部屋に可動間仕切１を設置する場合には、設置前に端部レール１２を第１レール１６ひいては本体レール１１に連結した状態でガイドレール２を天井Ｒに設置することが端部レール１２を個別に設置する場合に比べて作業性がよいという意味で好ましい。
【００６６】
このように、本実施形態のガイドレール２によれば、天井Ｒに着脱可能に取り付けられる平板状の天板部２１および天板部２１の長手方向に対して直交する幅方向の両端縁のそれぞれから下方に向かって直角に延出された相互に平行な平板状の１対の側板部２２を有する本体レール１１と、天井Ｒに着脱可能に取り付けられ本体レール１１の少なくとも一端に直列配置される本体レール１１と同一断面形状に形成された本体レール１１より長さの短い端部レール１２と、本体レール１１と端部レール１１とを連結するための連結解除自在な連結手段１３とを有している構成とされているから、連結手段１３による本体レール１１と端部レール１２との連結を解除するという簡単な方法で、端部レール１２を天井Ｒから容易に取り外すことができるので、引戸４の交換などのメンテナンスを簡単に行うことができる。
【００６７】
また、本実施形態のガイドレール２によれば、連結手段１３は、本体レール１１および端部レール１２の内部を移動可能とされ、移動方向に沿って形成された長孔２７を具備するスライド板２６と、スライド板２６の移動空間２０を本体レール１１および端部レール１２のそれぞれの天板部２１の内面側に形成するために、本体レール１１および端部レール１２のそれぞれに設けられた１対の側板部２２の内面のそれぞれから内側に向かって直角に突設されるとともに、天板部２１と間隔をおいて平行に延在し、かつ間隔をおいて先端が対峙する平板状の１対のスライドガイド部２５と、本体レール１１と端部レール１２とを連結するために長孔２７を介して本体レール１１の天板部２１に螺着される第１固定ねじ２８および長孔２７を介して端部レール１２の天板部２１に螺着される第２固定ねじ３０とを有している構成とされているから、第１固定ねじ２８を長孔２７を介して本体レール１１の天板部２１に螺着するとともに、第２固定ねじ３０を長孔２７を介して端部レール１２の天板部２１に螺着するという簡単な操作により、本体レール１１と端部レール１２とを容易かつ確実に連結することができる。また、本体レール１１の天板部２１に螺着される第１固定ねじ２８あるいは第２固定ねじ３０を取り外すという簡単な操作により、本体レール１１と端部レール１２とが連結した連結状態を容易に解除することができる。
【００６８】
したがって、本実施形態のガイドレール２によれば、連結手段１３は、本体レール１１と端部レール１２との連結とその解除とを容易に行うことができる。また、連結手段１３をガイドレール２の内側に配置することができるので、部屋の仕切りを行わない開放状態における外観上の違和感を少なくすることができる。その結果、開放状態における外観品質を向上できるし、デザイン性の向上を図ることができる。
【００６９】
さらに、本実施形態のガイドレール２によれば、長孔２７の第１固定ねじ２８および第２固定ねじ３０が挿通可能なスライド板２６の移動方向に沿った有効長さ寸法Ｌａが本体レール１１の天板部２１に形成された第１固定ねじ２８が螺着される第１ねじ孔２９と、端部レール１２の天板部２１に形成された第２固定ねじ３０が螺着される第２ねじ孔３１とのそれぞれの中心間距離ＬＧと同等もしくは長く形成されている構成とされているから、第１固定ねじ２８あるいは第２固定ねじ３０を取り外した状態で、天板部２１に残存する第２固定ねじ３０あるいは第１固定ねじ２８を緩めることにより、スライド板２６を端部レール１２の移動空間２０の内部あるいは本体レール１１の移動空間２０の内部に容易にスライド移動させることができる。
【００７０】
すなわち、本実施形態のガイドレール２によれば、連結手段１３のスライド板２６を本体レール１１あるいは端部レール１２に保持させた状態で本体レール１１の移動空間２０あるいは端部レール１２の移動空間２０に出没させることができる。その結果、天井Ｒに対する端部レール１２の着脱時に、スライド板２６を本体レール１１の移動空間２０あるいは端部レール１２の移動空間２０に収納した状態とすることができるので、端部レール１２を天井Ｒに取り付けたり、取り外したりする着脱時にスライド板２６が邪魔にならず、天井Ｒに設置された端部レール１２を容易に着脱することができる。
【００７１】
さらにまた、本実施形態のガイドレール２によれば、本体レール１１および端部レール１２ならびに収納レール１４は、ともにアルミニウム合金の成型材により形成されており、スライド板２６は、アルミニウム合金の板材により形成されている構成とされているから、ステンレスなどの鉄鋼材料を用いる場合に比較して軽量化を容易に図ることができる。また、本体レール１１および端部レール１２ならびに収納レール１４の３者を１つの成型金型で形成することができるので、金型コストを低減することができる。すなわち、１つの成型金型により長尺のレールを形成し、この長尺のレールから本体レール１１および端部レール１２ならびに収納レール１４を得ることができる。
【００７２】
なお、本発明は、前述した実施形態に限定されるものではなく、必要に応じて種々の変更が可能である。
【符号の説明】
【００７３】
１、１Ａ  可動間仕切
２、２Ａ  ガイドレール
３、３Ａ  吊車
４  引戸
４ａ  第１引戸
４ｂ  第２引戸
４ｃ  第３引戸
４ｄ  第４引戸
４ｅ  第５引戸４
５  戸袋
１１  本体レール
１２  端部レール
１３  連結手段
１４  収納レール
１６  第１レール
１７  第２レール
２０  移動空間
２１  天板部
２２  側板部
２３  リブ部
２５  スライドガイド板部
２６  スライド板
２７  長孔
２８  第１固定ねじ
２９  第１ねじ孔
３０  第２固定ねじ
３１  第２ねじ孔
Ｒ  天井Ｒ
ＲＡ  レール溝
ＰＡ  壁面
ＲＬ  （端面レールの）長さ寸法
Ｌ  （スライド板の移動方向に沿った全体の）長さ寸法を
Ｌａ  （長孔の）有効長さ寸法
Ｌｂ  （長孔の有効長さの右端からスライド板の右端までの）長さ寸法
Ｌｃ  （長孔の有効長さの左端からスライド板の左端までの）長さ寸法
Ｌｘ  （第１レールの左端から第１ねじ孔の中心までの）長さ寸法
Ｌｙ  （端部レールの右端から第２ねじ孔の中心までの）長さ寸法を
ＬＧ  （第１ねじ孔の中心と第２ねじ孔の中心との）中心間距離
ａ  （壁面側に位置する吊車の中心からこの吊車に隣位する引戸の幅方向の端面までの）距離
【図１】
2012097403.tif 000003
【図２】
2012097403.tif 000004
【図３】
2012097403.tif 000005
【図４】
2012097403.tif 000006
【図５】
2012097403.tif 000007
【図６】
2012097403.tif 000008
【図７】
2012097403.tif 000009
【図８】
2012097403.tif 000010
【図９】
2012097403.tif 000011
【図１０】
2012097403.tif 000012
【図１１】
2012097403.tif 000013